(57)【要約】  本発明では、第１の提供者が利用者の識別記号及び個人情報からなるデータベースを構築し、利用者が第１の提供者に利用者の識別記号を用いてログインし、利用者が第１の提供者にログイン中に第２の提供者にアクセスし、利用者が第２の提供者にアクセスした場合に、第１の提供者から第２の提供者に利用者の識別記号を通知し、第２の提供者が第１の提供者から利用者の識別記号の通知を受けた場合に、利用者が第２の提供者に登録しているか否かを問わず、利用者に対してアクセスを許可するとともに、サービスの提供にあたり利用者の個人情報を必要とする場合には、第１の提供者がデータベースから取得した利用者の個人情報の通知を受け、第１の提供者から通知を受けた利用者の個人情報を用いてサービスの提供を行うことにした。
2010050406.tif 000002
【特許請求の範囲】
【請求項１】
利用者の端末と、利用者にサービスの提供を行う第１及び第２の提供者の端末とを電子通信回線網で接続し、利用者からの要求に応じて第１又は第２の提供者がサービスの提供を行うサービス提供システムにおいて、
第１の提供者の端末が利用者の識別記号及び個人情報からなるデータベースを構築し、
利用者の端末が第１の提供者の端末に利用者の識別記号を用いてログインし、
利用者の端末が第１の提供者の端末にログイン中に第２の提供者の端末にアクセスし、
利用者の端末が第２の提供者の端末にアクセスした場合に、第１の提供者の端末から第２の提供者の端末に利用者の識別記号を通知し、
第２の提供者の端末が第１の提供者の端末から利用者の識別記号の通知を受けた場合に、利用者が第２の提供者に登録しているか否かを問わず、利用者の端末に対してアクセスを許可するとともに、サービスの提供にあたり利用者の個人情報を必要とする場合には、第１の提供者の端末がデータベースから取得した利用者の個人情報の通知を受け、第１の提供者の端末から通知を受けた利用者の個人情報を用いてサービスの提供を行うことを特徴とするサービス提供システム。
【請求項２】
第１の提供者の端末は、第２の提供者の端末からの要求に応じて利用者の個人情報を通知することを特徴とする請求項１に記載のサービス提供システム。
【請求項３】
第１の提供者の端末は、データベースから利用者の個人情報を入手してサービスの提供を行った後に、第２の提供者の端末に利用者の個人情報を通知することを特徴とする請求項１又は請求項２に記載のサービス提供システム。
【発明の詳細な説明】
【技術分野】
【０００１】
本発明は、電子通信回線網を利用してサービスの提供を行うためのシステムに関するものであり、利用者の端末と、利用者にサービスの提供を行う第１及び第２の提供者の端末とを電子通信回線網で接続し、利用者からの要求に応じて第１又は第２の提供者がサービスの提供を行うサービス提供システムに関するものである。
【背景技術】
【０００２】
近年、インターネットに代表される電子通信回線網の普及に伴って、電子通信回線網に接続された端末を用いてサービスの提供を行うサービス提供システムが広く利用されるようになっている。【０００３】
このサービス提供システムでは、利用者がサービスの提供を行う提供者のサイトにおいて事前に登録を行うことによって、提供者が利用者に対して利用者固有の識別記号やパスワードを付与し、その後、利用者が自己の識別記号やパスワードを用いて提供者のサイトにログインし、これにより、提供者から利用者の認証を得て利用者が提供者のサイトでサービスの提供を受けることができるようにしていた（たとえば、特許文献１参照。）。【０００４】
そして、従来のサービス提供システムにあっては、利用者が複数の提供者のサイトからサービスの提供を受ける場合には、各提供者のサイトにおいて上記登録の手続きやログイン時の認証の手続きを行う必要があった。
【先行技術文献】
【特許文献】
【０００５】
【特許文献１】特開２００５−２０２８０６号公報
【発明の概要】
【発明が解決しようとする課題】
【０００６】
ところが、上記従来のサービス提供システムでは、利用者が複数の提供者のサイトからサービスの提供を受ける場合に、各提供者のサイトにおいて上記登録の手続きやログイン時の認証の手続きを行う必要があったために、手続きが煩雑なものとなって利便性に欠けているばかりでなく、利用者が各提供者毎の識別記号やパスワードなどを記憶しておかなければサービスの提供を受けることができないものであった。【０００７】
また、上記従来のサービス提供システムでは、サービスの提供を望む複数の提供者に対して登録時に利用者の氏名や住所やクレジットカード番号などの個人情報を通知しなければならず、個人情報の漏洩のおそれがあり、利用者が電子通信回線網を用いたサービス提供システムの利用を躊躇する一因となっていた。
【課題を解決するための手段】
【０００８】
そこで、請求項１に係る本発明では、利用者の端末と、利用者にサービスの提供を行う第１及び第２の提供者の端末とを電子通信回線網で接続し、利用者からの要求に応じて第１又は第２の提供者がサービスの提供を行うサービス提供システムにおいて、第１の提供者の端末が利用者の識別記号及び個人情報からなるデータベースを構築し、利用者の端末が第１の提供者の端末に利用者の識別記号を用いてログインし、利用者の端末が第１の提供者の端末にログイン中に第２の提供者の端末にアクセスし、利用者の端末が第２の提供者の端末にアクセスした場合に、第１の提供者の端末から第２の提供者の端末に利用者の識別記号を通知し、第２の提供者の端末が第１の提供者の端末から利用者の識別記号の通知を受けた場合に、利用者が第２の提供者に登録しているか否かを問わず、利用者の端末に対してアクセスを許可するとともに、サービスの提供にあたり利用者の個人情報を必要とする場合には、第１の提供者の端末がデータベースから取得した利用者の個人情報の通知を受け、第１の提供者の端末から通知を受けた利用者の個人情報を用いてサービスの提供を行うことにした。【０００９】
また、請求項２に係る本発明では、前記請求項１に係る本発明において、第１の提供者の端末は、第２の提供者の端末からの要求に応じて利用者の個人情報を通知することにした。【００１０】
また、請求項３に係る本発明では、前記請求項１又は請求項２に係る本発明において、第１の提供者の端末は、データベースから利用者の個人情報を入手してサービスの提供を行った後に、第２の提供者の端末に利用者の個人情報を通知することにした。
【発明の効果】
【００１１】
そして、本発明では、以下に記載する効果を奏する。【００１２】
すなわち、本発明では、利用者が第１の提供者のサイトに対して登録手続きとログイン手続きを行えば第２の提供者のサイトにおいて登録手続きやログイン手続きを行わなくても第２の提供者からサービスの提供を受けることができる。【００１３】
そのため、本発明では、利用者の登録やログインなどの手続きが容易なものとなって電子通信回線網を用いたサービス提供システムの利便性を向上させることができる。【００１４】
また、本発明では、利用者が複数の提供者の識別記号やパスワードなどを記憶する必要がなく、容易にサービスの提供を受けることができる。【００１５】
さらに、本発明では、第１の提供者に対してだけ利用者の個人情報を通知すればよく、個人情報の漏洩の危険性を低減させることができる。【００１６】
特に、第２の提供者からの要求に応じて第１の提供者から第２の提供者に利用者の個人情報を通知するようにした場合や、第１の提供者がデータベースから利用者の個人情報を入手してサービスの提供を行った後に第１の提供者から第２の提供者に利用者の個人情報を通知するようにした場合には、より一層個人情報の漏洩の危険性を低減させることができる。
【図面の簡単な説明】
【００１７】
【図１】本発明に係るサービス提供システムのハードウェア構成を示す説明図。
【図２】本発明に係るサービス提供システムのソフトウェア構成を示す説明図。
【図３】データベースを示す説明図。
【発明を実施するための形態】
【００１８】
以下に、本発明に係るサービス提供システムの具体的な内容について図面を参照しながら説明する。
【００１９】
本サービス提供システムにおいては、図１に示すように、利用者の端末１と、利用者に対してサービスの提供を行う第１及び第２の提供者の端末2,3とが電子通信回線網４によって接続されており、利用者は、電子通信回線網４を利用して端末１から提供者の端末2,3にアクセスすることによって提供者から各種のサービスの提供を受けることができるようになっている。なお、端末１〜３は、コンピュータ、携帯端末、携帯電話機などの電子データの通信機能を有する各種機器を用いることができる。
【００２０】
そして、本サービス提供システムでは、図２に示すように、まず、利用者が第１の提供者に対して登録の申込みを行う（登録申込みステップ）。
【００２１】
具体的には、利用者の端末１から第１の提供者の端末２に利用者の氏名、住所、クレジットカード番号などを含む個人情報のデータを送信する。なお、個人情報のデータには、利用者の年齢、性別、メールアドレス、金融機関口座番号など各種の情報を含めることもできる。
【００２２】
登録の申込みを受けた第１の提供者は、利用者の個人情報を含むデータベースを構築する（データベース構築ステップ）。
【００２３】
具体的には、第１の提供者の端末２が利用者の端末１から受信した個人情報のデータに利用者特有の識別記号やパスワードなどを付加したデータ５を作成し、そのデータ５を記憶媒体に格納（蓄積）していきデータベース６を形成する（図３参照。）。
【００２４】
その後、第１の提供者は、利用者に登録が完了した旨の通知を行う（登録通知ステップ）。
【００２５】
具体的には、第１の提供者の端末２から利用者の端末１に利用者の識別記号やパスワードを記載した登録完了のメールを送信する。
【００２６】
以上のステップを経ることにより、利用者は、本サービス提供システムを利用して第１及び第２の提供者のサイトを利用することができるようになる。
【００２７】
そして、利用者が第１又は第２の提供者からのサービスの提供を望む場合には、利用者が第１の提供者に対してログインの要求を行う（ログイン要求ステップ）。
【００２８】
具体的には、利用者の端末１から第１の提供者の端末２に対して第１の提供者が運営するサイトにアクセスする。
【００２９】
ログイン要求を受けた第１の提供者は、利用者に対して認証の要求を行う（認証要求ステップ）。
【００３０】
具体的には、第１の提供者の端末２から利用者の端末１に対して利用者の識別記号及びパスワードの送信を要求をする。
【００３１】
認証の要求を受けた利用者は、第１の提供者に対して認証を受けるための識別記号及びパスワードを入力する（認証入力ステップ）。
【００３２】
具体的には、利用者の端末１から第１の提供者の端末２に利用者の識別記号及びパスワードを送信する。
【００３３】
認証の入力を受けた第１の提供者は、入力された識別記号及びパスワードを用いて利用者の認証を行う（認証ステップ）。
【００３４】
具体的には、第１の提供者の端末２が利用者の端末１から受信した識別記号及びパスワードとデータベース構築ステップで構築したデータベース６のデータ５とを照合して、利用者がデータベース６に予め登録された正規の利用者か否かを判断する。
【００３５】
そして、正規の利用者であると判断した場合には、第１の提供者が利用者に対してログインの許可を行う（ログイン許可ステップ）。
【００３６】
具体的には、第１の提供者の端末２から利用者の端末１に対してログインを許可する旨やトップページの表示画面データなどを送信する。
【００３７】
以上のステップを経ることにより、利用者は、本サービス提供システムを利用して第１の提供者のサイトにおいて各種のサービスの提供を受けることができるようになる。
【００３８】
そして、利用者が第１の提供者のサイトにおいて第１の提供者からのサービスの提供を受けることを望む場合には、第１の提供者に対してサービスの提供を依頼する（サービス提供依頼ステップ）。
【００３９】
具体的には、利用者の端末１から第１の提供者の端末２に対して提供を受けたいサービスを選択して送信する。
【００４０】
利用者からサービスの提供の依頼を受けた第１の提供者は、提供するサービスの内容に応じて各種の処理を行う（サービス提供処理ステップ）。
【００４１】
具体的には、第１の提供者の端末２が必要に応じてデータベース６のデータ５から利用者の個人情報を入手して必要な処理（たとえば、チケットの予約や発行などの処理）を行う。
【００４２】
その後、第１の提供者は、利用者に対してサービスの提供を行う（サービス提供ステップ）。
【００４３】
具体的には、第１の提供者の端末２から利用者の端末１に対して処理ステップでの処理結果を通知する。
【００４４】
次に、利用者が第２の提供者のサイトにおいて第２の提供者からのサービスの提供を受けることを望む場合には、第１の提供者のサイトにログインした状態のまま第１の提供者のサイトを経由して第２の提供者のサイトにアクセスする（アクセスステップ）。
【００４５】
具体的には、利用者の端末１から第１の提供者の端末２に対して第１の提供者が運営するホームページにリンクが張られた第２の提供者のサービスを選択して送信し、利用者の端末１が第２の提供者の端末３にアクセスした状態とする。
【００４６】
このときに、第１の提供者は、第２の提供者に対して利用者が既に第１の提供者の認証を受けていることを通知する（認証転送ステップ）。
【００４７】
具体的には、第１の提供者の端末２が第２の提供者の端末３に利用者の識別記号を送信する。
【００４８】
第１の提供者から利用者の認証を転送された第２の提供者は、利用者が第２の提供者のサイトにおいて登録しているか否かを問わず、利用者に対してアクセスを許可する。
【００４９】
具体的には、第２の提供者の端末３から利用者の端末１に対してアクセスを許可する旨やトップページの表示画面データなどを送信する。
【００５０】
以上のステップを経ることにより、利用者は、本サービス提供システムを利用して第２の提供者のサイトにおいて各種のサービスの提供を受けることができるようになる。
【００５１】
そして、利用者が第２の提供者のサイトにおいて第２の提供者からのサービスの提供を受けることを望む場合には、第２の提供者に対してサービスの提供を依頼する（サービス提供依頼ステップ）。
【００５２】
具体的には、利用者の端末１から第２の提供者の端末３に対して提供を受けたいサービスを選択して送信する。
【００５３】
利用者からサービスの提供の依頼を受けた第２の提供者は、提供するサービスの内容に応じて各種の処理を行う（サービス提供処理ステップ）。
【００５４】
具体的には、第２の提供者の端末３が必要な処理（たとえば、チケットの予約や発行などの処理）を行う。
【００５５】
その際に、第２の提供者が利用者の個人情報を必要とする場合には、第２の提供者が第１の提供者に利用者の個人情報を通知するよう依頼することができる（通知依頼ステップ）。
【００５６】
具体的には、第２の提供者の端末３から第１の提供者の端末２に利用者の識別記号や必要となる個人情報の種類（氏名や住所など）を送信して依頼する。
【００５７】
通知依頼を受けた第１の提供者は、通知に必要となる個人情報を取得するための処理を行う（通知処理ステップ）。
【００５８】
具体的には、第１の提供者の端末２が第２の提供者の端末３から受信した識別記号とデータベース構築ステップで構築したデータベース６のデータ５とを照合して、第２の提供者の端末３から受信した通知する個人情報の種類に該当する利用者の個人情報をデータベース６のデータ５から取得する。このときに、第１の提供者の端末２は、第１の提供者の端末２がデータベースから利用者の個人情報を入手して第１の提供者が利用者に対して実際にサービスの提供を行った後でなければ、第２の提供者の端末に利用者の個人情報を通知しないようにしている。
【００５９】
その後、第１の提供者は、第２の提供者に対して要求のあった利用者の個人情報を通知する（情報通知ステップ）。
【００６０】
具体的には、第１の提供者の端末２から第２の提供者の端末３に通知処理ステップで取得した個人情報を識別記号とともに送信する。
【００６１】
その後、第２の提供者は、利用者に対してサービスの提供を行う（サービス提供ステップ）。
【００６２】
具体的には、第２の提供者の端末３から利用者の端末１に対して処理ステップでの処理結果を通知する。そのときに、第２の提供者の端末３は、必要に応じて第１の提供者の端末２から入手した利用者の個人情報を用いて必要な処理（たとえば、チケットの予約や発行などの処理）を行う。
【００６３】
以上に説明したように、上記サービス提供システムでは、利用者の端末１と、利用者にサービスの提供を行う第１及び第２の提供者の端末2,3とを電子通信回線網４で接続し、利用者からの要求に応じて第１又は第２の提供者がサービスの提供を行うサービス提供システムにおいて、第１の提供者の端末２が利用者の識別記号及び個人情報からなるデータベース６を構築し、利用者の端末１が第１の提供者の端末２に利用者の識別記号を用いてログインし、利用者の端末１が第１の提供者の端末２にログイン中に第２の提供者の端末３にアクセスし、利用者の端末１が第２の提供者の端末３にアクセスした場合に、第１の提供者の端末２から第２の提供者３の端末に利用者の識別記号を通知し、第２の提供者の端末３が第１の提供者の端末２から利用者の識別記号の通知を受けた場合に、利用者が第２の提供者に登録しているか否かを問わず、利用者の端末１に対してアクセスを許可するとともに、サービスの提供にあたり利用者の個人情報を必要とする場合には、第１の提供者の端末２がデータベース６から取得した利用者の個人情報の通知を受け、第１の提供者の端末２から通知を受けた利用者の個人情報を用いてサービスの提供を行うことにしている。
【００６４】
そのため、上記サービス提供システムでは、利用者が第１の提供者のサイトに対して登録手続きとログイン手続きを行えば第２の提供者のサイトにおいて登録手続きやログイン手続きを行わなくても第２の提供者からサービスの提供を受けることができる。
【００６５】
これにより、上記サービス提供システムでは、利用者の登録やログインなどの手続きが容易なものとなって電子通信回線網４を用いたサービス提供システムの利便性を向上させることができるとともに、利用者が複数の提供者の識別記号やパスワードなどを記憶する必要がなくなり、容易にサービスの提供を受けることができ、しかも、第１の提供者に対してだけ利用者の個人情報を通知すればよいので、個人情報の漏洩の危険性を低減させることができる。
【００６６】
このように、上記サービス提供システムでは、利用者が第１の提供者にログイン中に第２の提供者にアクセスした場合に、第１の提供者から第２の提供者に利用者の識別記号が通知されるといったシングルサインオンの機能を有している。
【００６７】
しかも、上記サービス提供システムでは、上記シングルサインオンの機能に加えて、第２の提供者が利用者の個人情報を必要とする場合に、第２の提供者は、利用者が第２の提供者に登録しているか否かを問わず、第１の提供者から利用者の個人情報の通知を受けるようにしている。
【００６８】
そのため、上記サービス提供システムでは、利用者が第１の提供者に個人情報を登録しておけば、第２の提供者に個人情報を登録しておく必要がなくなる。しかも、利用者が第１の提供者だけでなく第２の提供者にも登録していた場合には、利用者の事情により住所や銀行口座などに変更が生じても、第１の提供者に登録しておいた個人情報が優先して使用されるため、第２の提供者に登録した個人情報を変更しなくてもよく、しかも、異なる銀行口座等の情報を適宜使い分けることもでき、サービス提供システムの使い勝手を向上させることができる。たとえば、利用者が第１の提供者にＡ銀行の口座を登録し、第２の提供者にはＢ銀行の口座を登録した場合、第１の提供者を経由して第２の提供者のサービスを利用した場合には、第１の提供者に登録したＡ銀行の口座から支払うことができ、一方、直接第２の提供者のサービスを利用した場合には、第２の提供者に登録したＢ銀行の口座から支払うことができ、支払銀行口座を振り分けることができる。
【００６９】
また、上記サービス提供システムでは、第２の提供者からの要求に応じて第１の提供者から第２の提供者に利用者の個人情報を通知するようにしているために、より一層個人情報の漏洩の危険性を低減させることができる。
【００７０】
また、上記せービス提供システムでは、第１の提供者がデータベースから利用者の個人情報を入手してサービスの提供を行った後に第２の提供者に利用者の個人情報を通知するようにしているために、より一層個人情報の漏洩の危険性を低減させることができる。
【符号の説明】
【００７１】
１  利用者の端末
２  第１の提供者の端末
３  第２の提供者の端末
４  電子通信回線網
５  データ
６  データベース
【図１】
2010050406.tif 000003
【図２】
2010050406.tif 000004
【図３】
2010050406.tif 000005
【手続補正書】
【提出日】平成22年6月18日(2010.6.18)
【手続補正１】
【補正対象書類名】特許請求の範囲
【補正対象項目名】全文
【補正方法】変更
【補正の内容】
【特許請求の範囲】
【請求項１】
利用者の端末と、利用者にサービスの提供を行う第１及び第２の提供者の端末とを電子通信回線網で接続し、利用者からの要求に応じて第１又は第２の提供者がサービスの提供を行うサービス提供システムにおいて、
第１の提供者の端末が利用者の識別記号及び個人情報からなるデータベースを構築し、
利用者の端末が第１の提供者の端末に利用者の識別記号を用いてログインし、
利用者の端末が第１の提供者の端末にログイン中に第２の提供者の端末にアクセスし、
利用者の端末が第２の提供者の端末にアクセスした場合に、第１の提供者の端末から第２の提供者の端末に利用者の識別記号を通知し、
第２の提供者の端末が第１の提供者の端末から利用者の識別記号の通知を受けた場合に、利用者が第２の提供者に登録しているか否かを問わず、利用者の端末に対してアクセスを許可するとともに、サービスの提供にあたり利用者の個人情報を必要とする場合には、第１の提供者の端末がデータベースから取得した利用者の個人情報の通知を受け、第１の提供者の端末から通知を受けた利用者の個人情報を用いてサービスの提供を行い、
第１の提供者の端末は、第２の提供者の端末からの要求に応じ、データベースから利用者の個人情報を入手してサービスの提供を行った後に、第２の提供者の端末に利用者の個人情報を通知し、利用者が第１の提供者だけでなく第２の提供者にも登録していた場合には、第１の提供者に登録しておいた個人情報を優先して使用することを特徴とするサービス提供システム。
【手続補正２】
【補正対象書類名】明細書
【補正対象項目名】０００９
【補正方法】変更
【補正の内容】
【０００９】
また、請求項１に係る本発明では、第１の提供者の端末は、第２の提供者の端末からの要求に応じて利用者の個人情報を通知することにした。
【手続補正３】
【補正対象書類名】明細書
【補正対象項目名】００１０
【補正方法】変更
【補正の内容】
【００１０】
また、請求項１に係る本発明では、第１の提供者の端末は、データベースから利用者の個人情報を入手してサービスの提供を行った後に、第２の提供者の端末に利用者の個人情報を通知し、利用者が第１の提供者だけでなく第２の提供者にも登録していた場合には、第１の提供者に登録しておいた個人情報を優先して使用することにした。 
【手続補正書】
【提出日】平成22年9月17日(2010.9.17)
【手続補正１】
【補正対象書類名】特許請求の範囲
【補正対象項目名】全文
【補正方法】変更
【補正の内容】
【特許請求の範囲】
【請求項１】
利用者の端末と、利用者にサービスの提供を行う第１及び第２の提供者の端末とを電子通信回線網で接続し、利用者からの要求に応じて第１又は第２の提供者がサービスの提供を行うサービス提供システムにおいて、
第１の提供者の端末が利用者の識別記号及び個人情報からなるデータベースを構築し、
利用者の端末が第１の提供者の端末に利用者の識別記号を用いてログインし、
利用者の端末が第１の提供者の端末にログイン中に第２の提供者の端末にアクセスし、
利用者の端末が第２の提供者の端末にアクセスした場合に、第１の提供者の端末から第２の提供者の端末に利用者の識別記号を通知し、
第２の提供者の端末が第１の提供者の端末から利用者の識別記号の通知を受けた場合に、利用者が第２の提供者に登録しているか否かを問わず、利用者の端末に対してアクセスを許可するとともに、サービスの提供にあたり利用者の個人情報を必要とする場合には、第１の提供者の端末がデータベースから取得した利用者の個人情報の通知を受け、第１の提供者の端末から通知を受けた利用者の個人情報を用いてサービスの提供を行い、
第１の提供者の端末は、データベースから利用者の個人情報を入手してサービスの提供を行った後に、第２の提供者の端末からの要求に応じ、第２の提供者の端末に利用者の個人情報を通知し、第２の提供者の端末は、第１の提供者の端末から利用者の個人情報の通知を受けた場合に利用者が第２の提供者に登録しているか否かを問わず第１の提供者に登録しておいた個人情報を使用することを特徴とするサービス提供システム。
【手続補正２】
【補正対象書類名】明細書
【補正対象項目名】００１０
【補正方法】変更
【補正の内容】
【００１０】
また、請求項１に係る本発明では、第１の提供者の端末は、データベースから利用者の個人情報を入手してサービスの提供を行った後に、第２の提供者の端末からの要求に応じ、第２の提供者の端末に利用者の個人情報を通知し、第２の提供者の端末は、第１の提供者の端末から利用者の個人情報の通知を受けた場合に利用者が第２の提供者に登録しているか否かを問わず第１の提供者に登録しておいた個人情報を使用することにした。
【手続補正書】
【提出日】平成23年1月18日(2011.1.18)
【手続補正１】
【補正対象書類名】特許請求の範囲
【補正対象項目名】全文
【補正方法】変更
【補正の内容】
【特許請求の範囲】
【請求項１】
利用者の端末と、利用者にサービスの提供を行う第１及び第２の提供者の端末とを電子通信回線網で接続し、利用者からの要求に応じて第１又は第２の提供者がサービスの提供を行うサービス提供システムにおいて、
第１の提供者の端末が利用者の識別記号及び個人情報からなるデータベースを構築し、
利用者の端末が第１の提供者の端末に利用者の識別記号を用いてログインし、
利用者の端末が第１の提供者の端末にログイン中に第２の提供者の端末にアクセスし、
利用者の端末が第２の提供者の端末にアクセスした場合に、第１の提供者の端末から第２の提供者の端末に利用者の識別記号を通知し、
第２の提供者の端末が第１の提供者の端末から利用者の識別記号の通知を受けた場合に、利用者が第２の提供者に登録しているか否かを問わず、利用者の端末に対してアクセスを許可するとともに、サービスの提供にあたり利用者の個人情報を必要とする場合には、第１の提供者の端末がデータベースから取得した利用者の個人情報の通知を受け、第１の提供者の端末から通知を受けた利用者の個人情報を用いてサービスの提供を行い、
第１の提供者の端末は、データベースから利用者の個人情報を入手して利用者に対して実際にサービスの提供を行った後であれば、第２の提供者の端末からの要求に応じ、第２の提供者の端末に利用者の個人情報を通知し、第２の提供者の端末は、第１の提供者の端末から利用者の個人情報の通知を受けた場合に利用者が第２の提供者に登録しているか否かを問わず第１の提供者に登録しておいた個人情報を使用することを特徴とするサービス提供システム。
【手続補正２】
【補正対象書類名】明細書
【補正対象項目名】００１０
【補正方法】変更
【補正の内容】
【００１０】
また、請求項１に係る本発明では、第１の提供者の端末は、データベースから利用者の個人情報を入手して利用者に対して実際にサービスの提供を行った後であれば、第２の提供者の端末からの要求に応じ、第２の提供者の端末に利用者の個人情報を通知し、第２の提供者の端末は、第１の提供者の端末から利用者の個人情報の通知を受けた場合に利用者が第２の提供者に登録しているか否かを問わず第１の提供者に登録しておいた個人情報を使用することにした。
【国際調査報告】
2010050406.tif 000006
2010050406.tif 000007
2010050406.tif 000008
2010050406.tif 000009